(57)【要約】【課題】定着装置に対するトナーの一箇所部分への入力集中を回避させることにより、記録紙上に発生する画像汚れを防止し、画像品質の向上を図ること。【解決手段】感光体上の主走査方向における光ビームの書き込み基準位置を所定の位置に変更するモードを選択可能に有する操作部１２０と、操作部１２０からのモード選択にしたがって書き込み基準位置の変更を指示する制御部１３０と、制御部１３０からの指示にしたがって走査書き込み開始位置を調整するための電圧を生成する同期検知基準電圧発生部３９と、同期検知基準電圧発生部３９からの電圧にしたがって書き込み基準位置となる同期信号を出力する同期検知部３８と、を備える。【選択図】      図１
2004219887.tif 000002
【特許請求の範囲】
【請求項１】
デジタル画像情報に応じた光ビームを感光体上に走査して静電潜像を形成し、これに加熱溶融性のトナーを付着させてトナー像に顕像化し、記録紙に転写した後に熱定着装置によって定着を行なう画像形成装置において、
前記感光体上の主走査方向における光ビームの前記書き込み開始位置を所定の位置に変更するモードを選択可能に有するモード選択手段と、
前記モード選択手段からのモード選択にしたがって前記書き込み開始位置の変更を指示する書き込み開始位置変更手段と、
前記書き込み開始位置変更手段からの指示にしたがって前記書き込み開始位置を調整するための電圧を生成する電圧生成手段と、
前記電圧生成手段からの電圧にしたがって前記書き込み開始位置となる同期信号を出力する同期信号出力手段と、
を備えたことを特徴とする画像形成装置。
【請求項２】
前記モード選択手段におけるモードは、同一画像情報でかつ複数回連続して画像形成を行なう場合、前記書き込み開始位置を、１枚ごとまたは所定枚数ごとに変更するモードを含むことを特徴とする請求項１に記載の画像形成装置。
【請求項３】
前記モード選択手段におけるモードは、同一画像サイズでかつ複数回連続して画像形成を行なう場合、前記書き込み開始位置を、１枚ごとまたは所定枚数ごとに変更するモードを含むことを特徴とする請求項１に記載の画像形成装置。
【請求項４】
前記モード選択手段におけるモードは、プリンタ動作時のみ有効とすることを特徴とする請求項１、２または３に記載の画像形成装置。
【発明の詳細な説明】
【０００１】
【発明の属する技術分野】
本発明は、デジタル複写機やレーザプリンタ、レーザファクシミリ装置などの画像形成装置に関し、より詳細には、同じ画像が同一位置に連続する場合、レーザ光書き込みにおける主走査書き込み開始位置を変更することで定着装置に対するトナーの一箇所集中を回避し、記録紙への汚れ発生を低減する画像形成装置に関する。
【０００２】
【従来の技術】
昨今のＩＴの普及に伴い、オフィスや設計分野など画像情報、図面情報を取り扱う環境において、記録紙にデジタル情報を記録する際に、高密度・高速性、汎用性に優れた画像形成方式として、レーザ光照射によるレーザプリンタ、デジタル複写機などの画像形成装置が多く用いられている。特に、高記録密度化が進み、ＣＡＤ（ｃｏｍｐｕｔｅｒ  ａｉｄｅｄ  ｄｅｓｉｇｎ）やＤＴＰ（ｄｅｓｋｔｏｐ  ｐｕｂｌｉｓｈｉｎｇ）などの分野において多用されている。
【０００３】
このような画像形成装置は、電子写真プロセスに基づいて、光偏向器（ポリゴンスキャナ）により偏向されたレーザ光を感光体に走査して静電潜像を形成し、この静電潜像を現像装置によってトナーで顕像化し、さらにこの顕像化されたトナー像を記録紙に転写し、このトナー像が転写された記録紙を定着装置によって加熱定着し、排紙するものである（たとえば、特許文献１参照。）。
【０００４】
このレーザ光を書込むレーザ光学系は、レーザ光を一方向に照射する光源（ＬＤ）と、この光源から出射されたレーザ光を１ラインごとに感光体に偏向走査させるポリゴンミラーとを有すると共に、入力された画情報に基づいて光源およびポリゴンスキャナを制御して感光体に画像を形成するものである。
【０００５】
上記レーザ光学系は、感光体に１ライン毎にレーザ光を走査させるとき、走査ライン上に設けられ、レーザ光の照射タイミングの同期をとるフォトダイオード（同期センサ）を設け、このフォトダイオードにレーザ光が入射されると、同期信号を出力するようになっており、この同期信号にしたがって１ライン毎のレーザ光の照射タイミングを制御するように構成されている。
【０００６】
【特許文献１】
特開２００２−３６６２４号公報
【０００７】
【発明が解決しようとする課題】
しかしながら、上記に示されるような従来の画像形成装置にあっては、ＣＡＤなどの図面出力を行なう環境である場合、図面枠など所定の位置に線画があるため、副走査方向の連続した直線が存在することが多くなり、このような同一部分の画像を連続して出力すると、定着部分の同一部分に常にトナーが入力されるため、定着ローラ表面に付着するトナーを回収するクリーニング能力以上になると、回収できないトナーが定着ローラに蓄積することに起因する定着オフセットが発生し、その結果、記録紙上に黒スジや周期的な汚れなどの異常画像が転写され、画像品質が劣化するという問題点があった。
【０００８】
本発明は、上記に鑑みてなされたものであって、定着装置に対するトナーの一箇所部分への入力集中を回避させることにより、記録紙上に発生する画像汚れを防止し、画像品質の向上を図ることを目的とする。
【０００９】
【課題を解決するための手段】
上記の目的を達成するために、請求項１にかかる画像形成装置にあっては、デジタル画像情報に応じた光ビームを感光体上に走査して静電潜像を形成し、これに加熱溶融性のトナーを付着させてトナー像に顕像化し、記録紙に転写した後に熱定着装置によって定着を行なう画像形成装置において、前記感光体上の主走査方向における光ビームの前記書き込み開始位置を所定の位置に変更するモードを選択可能に有するモード選択手段と、前記モード選択手段からのモード選択にしたがって前記書き込み開始位置の変更を指示する書き込み開始位置変更手段と、前記書き込み開始位置変更手段からの指示にしたがって前記書き込み開始位置を調整するための電圧を生成する電圧生成手段と、前記電圧生成手段からの電圧にしたがって前記書き込み開始位置となる同期信号を出力する同期信号出力手段と、を備えたものである。
【００１０】
この発明によれば、ユーザが、副走査方向の同一位置に画像が連続して形成される場合に定着装置へのトナーの入力集中が懸念されることを考慮し、モード選択手段を介して主走査方向の書き込み開始位置を所定の条件で変更するモードを選択し、このモード選択に応じて書き込み基準位置を変更する電圧を生成し、後段の同期信号出力手段に送ることにより、書き込み開始位置を所定の条件で変更され、この結果、意図的に主走査方向の書き込み開始位置が変更でき、副走査方向に連続したトナーの定着装置に入力されるのを回避することが可能になる。
【００１１】
また、請求項２にかかる画像形成装置にあっては、前記モード選択手段におけるモードは、同一画像情報でかつ複数回連続して画像形成を行なう場合、前記書き込み開始位置を、１枚ごとまたは所定枚数ごとに変更するモードを含むものである。
【００１２】
この発明によれば、請求項１において、同一画像情報でかつ複数回連続して画像形成を行なう場合、主走査方向の光ビームの書き込み開始位置を、１枚ごとまたは所定枚数ごとに変更するモードを選択することでユーザが意図的に主走査書き込み開始位置の変更を指示することにより、副走査方向の同一位置に連続したトナーが定着装置に入力されるのを回避することが可能になる。
【００１３】
また、請求項３にかかる画像形成装置にあっては、前記モード選択手段におけるモードは、同一画像サイズでかつ複数回連続して画像形成を行なう場合、前記書き込み開始位置を、１枚ごとまたは所定枚数ごとに変更するモードを含むものである。
【００１４】
この発明によれば、請求項１において、同一画像サイズでかつ複数回連続して画像形成を行なう場合、主走査方向の光ビームの書き込み開始位置を、１枚ごとまたは所定枚数ごとに変更するモードを選択することでユーザが意図的に主走査書き込み開始位置の変更を指示することにより、副走査方向の同一位置に連続したトナーが定着装置に入力されるのを回避することが可能になる。
【００１５】
また、請求項４にかかる画像形成装置にあっては、前記モード選択手段におけるモードは、プリンタ動作時のみ有効とするものである。
【００１６】
この発明によれば、請求項１、２または３において、コピー時は原稿セット時における主走査方向のばらつきがあるので、プリンタ動作時のみ書き込み開始位置の変更を有効とすることにより、横レジストレーション（副走査方向の位置精度）のばらつきをプリンタ動作時にのみに限定することが可能になる。
【００１７】
【発明の実施の形態】
以下、本発明にかかる画像形成装置の好適な実施の形態について添付図面を参照し、詳細に説明する。なお、本発明はこの実施の形態に限定されるものではない。
【００１８】
本発明は、デジタル画像情報に応じて光ビームを感光体上に照射して静電潜像を形成し、その静電潜像に加熱溶解性のトナーを現像してトナー像を形成して記録紙に転写し、その記録紙上の未定着トナーを熱定着装置によって定着して排紙する、いわゆる電子写真プロセスにしたがって画像形成する熱定着装置を備えた画像形成装置において、所定の条件あるいはユーザの指示により、主走査方向における光書き込み開始位置を変更（書き込み位置の補正）する機能を設けることにより、同一書き込み開始位置に連続して画像形成する際に、定着ローラ部分への蓄積（入力）されるトナー量を軽減し、黒スジといった汚れなどの異常画像の発生を低減するものである。以下、具体的に説明する。
【００１９】
本発明による画像形成装置は、レーザ光によって感光体に静電潜像を形成させ、入力した画像情報の印刷を行なうレーザプリンタなどの印刷装置や、コピー・プリンタ・ファクシミリ機能を有する複合機などに適用される。
【００２０】
図１は、本発明の実施の形態にかかる画像形成装置の構成を示すブロック図であり、図２は、図１における光書き込み系の構成を示す説明図である。これらの図において、この画像形成装置１００は、大きくは、入力された画情報にしたがってレーザダイオード（以下、ＬＤという）１０およびポリゴンミラー１１を制御することによって感光体１２に静電潜像を形成させるプロッタ部１１０と、プロッタ部１１０に動作を指示するモード選択手段の機能を有する操作部１２０と、操作部１２０の指示にしたがってプロッタ部１１０を制御する書き込み基準位置変更手段の機能を有する制御部１３０と、とを備える。
【００２１】
プロッタ部１１０は、図２に示すように、光源であるＬＤ１０と、ポリゴンミラー１１と、感光体１２とを備え、ＬＤ１０から出射され、コリメートレンズ１３およびアパーチャ１４を介して、シリンダレンズ１５により感光体１２上で所定のビーム径になるように集光されたレーザ光を、ポリゴンモータ１６で高速回転されるポリゴンミラー１１によって主走査方向（感光体１２の長軸方向）ｘに走査（光書き込み）するように構成されている。また、このレーザ光は、ミラー１７により角度を変えてシリンダレンズ１８により副走査方向（感光体１２の回転方向）ｙに集光される。また、一対のｆθレンズ１９は、ポリゴンミラー１１で走査されたレーザ光の等角走査を等速走査に光学補正することにより、感光体１２上での像面湾曲を補正している。
【００２２】
さらに、プロッタ部１１０は、フォトダイオード（以下、ＰＤという）２０を有し、ミラー２１、シリンダレンズ２２を介してポリゴンミラー１１で反射されたレーザ光を検出するように構成されている。この検知したレーザ光にしたがって主走査方向の同期検知信号ＤＥＰＴを取得し、１走査ごとに画像書き込み用レーザ光の発光開始タイミングを制御するようになっている。
【００２３】
このように構成されたプロッタ部１１０は、図１に示すように、画素密度ごとに分周比を可変させて基準高周波クロックＳＬＣＫから画素クロック信号を生成する画素クロック発生部３１と、画素クロック信号ＷＣＬＫを基準クロックとして、所定のタイミング信号を生成するプロッタタイミング制御部３２と、プロッタタイミング制御部３２の動作に必要なデータの読み出し、格納を行なうメモリ３３と、パーソナルコンピュータ（以下、ＰＣという）３４から出力されたデータを画情報（以下、プリンタ画データという）に変換してプロッタタイミング制御部３２から出力されたタイミング信号に合わせて出力するプリンタコントローラ３５と、プリンタコントローラ３５から出力されたプリンタ画データＰＲＤＡＴに所定のデータを付加して出力するプロットデータ制御部３６と、プロットデータ制御部３６から出力されたデータＬＤＤＡＴに基づいて、ＬＤ１０を発光制御させるＬＤドライブ部３７と、を備えている。このように、ＬＤ１０、感光体１２など各部を制御し、プリンタ画データを感光体１２に書き込むように構成されている。
【００２４】
画素クロック発生部３１は、基準高周波クロックＳＣＬＫを画素密度に応じて分周して画素クロック信号ＷＣＬＫを生成するように構成されており、この画素クロック信号ＷＣＬＫを同期検知信号の位相と合わせるようになっている。
【００２５】
プロッタタイミング制御部３２は、画素クロック信号ＷＣＬＫを基準クロックとして、プリンタ画データ転送クロックであるＰＲＣＫ、１ライン開始の同期検知信号であるＰＲＳＹＮＣ、１ラインの有効幅を示すＰＲＬＧＡＴ、１ページ書き込み有効期間であるＰＲＦＧＡＴなどのタイミング信号を生成し、プリンタコントローラ３５に出力する。
【００２６】
プリンタコントローラ３５は、ＰＣ３４から送出されたキャラクタデータをビットマップデータに変換（展開）し、内部のページメモリ（不図示）に展開するように構成され、プロッタタイミング制御部３２から出力された上記のタイミング信号に合わせて、プリント画データＰＲＤＡＴをプロットデータ制御部３６に出力する。
【００２７】
プロットデータ制御部３６は、プリンタコントローラ３５から出力されたプリント画データＰＲＤＡＴに同期検知信号を検出するために発光させる情報を付加し、シリアル画データ（レーザダイオードデータ）ＬＤＤＡＴとしてＬＤドライブ部３７に出力するように構成されている。ＬＤドライブ部３７は、この入力されたシリアル画データ（レーザダイオードデータ）ＬＤＤＡＴにしたがってＬＤ１０を発光させる。
【００２８】
ページメモリ４３は、スキャナ４１によって原稿画像を光学的に読み取り電気信号に変換されたスキャナデータや、通信制御４２から送られる受信がデータを保存し、プロットデータ制御部３６に対してパラレル画データを転送するものである。
【００２９】
また、プロッタ部１１０は、主走査方向に走査されたレーザ光を検出するＰＤ２０を有し、検出したレーザ光にしたがって同期検知信号を出力する同期信号出力手段の機能を有する同期検知部３８と、同期検知部３８から出力された同期検知信号のパルス幅を検出する同期検知カウンタ４０と、同期検知部３８において主走査方向の同期検知信号ＤＥＴＰに基づいて、１走査ごとに画像形成用レーザ光の発光開始タイミングを制御する。
【００３０】
同期検知部３８は、レーザ光の走査ライン上に設けられたＰＤ２０を有し、このＰＤ２０において、レーザ光が走査された期間にパルス信号（同期検知信号）を出力するようになっており、たとえば、図３に示す回路は、同期検知部３８の代表的な回路例である。また、同期検知信号のパルス幅は、同期検知基準電圧（コンパレータ２５の基準電圧）と、ＬＤ１０がＰＤ２０を走査する時間と、ＰＤ２０が受光するＬＤ１０のパワーとに依存する。
【００３１】
同期検知カウンタ４０は、同期検知部３８から出力された同期検知信号および基準高周波クロックＳＬＣＫを入力し、同期検知信号のパルス幅を検出するように構成され、検出したパルス幅を制御部１３０を介して同期検知電圧発生部３９に出力する。
【００３２】
同期検知電圧発生部３９は、デジタル／アナログ（Ｄ／Ａ）コンバータから構成され同期検知信号を生成するときの同期検知基準電圧を発生し、この同期検知基準電圧を同期検知部３８に出力するように構成されている。さらに、同期検知カウンタ４０において、検出された同期検知信号のパルス幅を入力した制御部１３０によって、この同期検知基準電圧の電圧レベルが制御されるようになっている。
【００３３】
このように同期検知基準電圧のレベルを制御可能な構成とすることにより、転送された画情報に基づいて動作するレーザ光は、感光体１２上における主走査方向の書き込み開始位置を所定位置に制御することができる。すなわち、この同期検知基準電圧のレベルを制御することで、主走査方向の書き込み開始位置を移動（補正）させることができる。すなわち、画像位置を所定の範囲で補正することができる。
【００３４】
図１において、操作部１２０は書き込み位置変更モードが選択されるとモード選択信号を制御部１３０に送り、制御部１３０はこのモード選択信号に基づいて同期検知基準電圧発生部３９に書き込み位置制御信号を送る。同期検知基準電圧発生部３９ではこの書き込み位置制御信号にしたがって同期基準電圧（書き込み位置補正電圧）を生成し、これを同期検知部３８に送る。同期検知部３８ではこの同期基準電圧（書き込み位置補正電圧）による同期検知信号を出力する。これによって、画像の書き出しの位置を所定の範囲で補正することができる。
【００３５】
さて、上述したように、画像情報に応じたレーザ光による感光体１２への静電潜像の形成が行なわれると、続いて、この静電潜像は、現像装置（不図示）によりトナーが付着されトナー像として顕像化される。さらに、給紙装置（不図示）から記録紙が所定のタイミングで感光体１２に繰り出され、記録紙Ｐ上に上記トナー像が転写され、記録紙Ｐは定着装置１５０によって加圧と加熱が同じに行なわれることでトナー像が溶融されながら記録紙上に定着され、機外に排紙される。
【００３６】
定着装置１５０は、定着ヒータを内筒に有する離型性に優れた表面でなる定着ローラ１５１と、定着ローラ１５１に対向して設けられ、定着ローラ１５１に所定の圧力で付勢されるシリコンゴムなどでなる加圧ローラ１５２と、定着ローラ１５１に当接され、定着ローラ１５１に付着したトナーや紙粉などを除去する定着クリーニングブレード１５３と、を備え、記録紙Ｐ上に転写された未定着のトナー像をニップ圧および定着熱の作用で定着画像として排紙する。なお、この定着装置１５０では、定着ヒータや定着温度を検知するサーミスタ、温度ヒューズ、駆動部などについては省略してある。
【００３７】
ところで、書き込み開始位置は通常は一定の基準位置であるが、副走査方向のある一箇所に連続して画像が集中し、定着装置１５０（図２参照）や感光体クリーニング装置（不図示）への負担（クリーニング能力）を軽減したい場合、その基準位置を少しずらすことによりトナーの一箇所集中を回避させる。すなわち、書き込み開始位置を変更（補正）する場合、その位置間隔に応じた距離と上記同期検知電圧のレベルと値を設定しておき、この値により書き込み開始位置の変更を行なう。
【００３８】
つぎに、本発明の特徴である書き込み位置変更について説明する。図４は、本発明の実施の形態にかかる画像形成装置の操作部における書き込み位置設定画面を示す説明図である。この図は、書き込み位置変更モード（各種モードの設定画面）の入力により表示され、操作部１２０に設けられたＬＣＤで構成されるタッチパネル１２１上に書き込み位置変更画面１２２を示している。
【００３９】
図４において、ユーザは、プリンタ時のみの動作を設定したい場合は「プリント時のみ」ボタン１２４を押下し、それ以外は「通常」ボタン１２３を押下することで、書き込み位置変更可否を指示する。また、この書き込み位置変更モードの選択において、「通常」ボタン１２３が選択され通常ボタン１２５が表示されている場合は、書き込み位置は変更されない。「同一画像リピート時」ボタン１２６あるいは「同一サイズリピート時」ボタン１２７が押下された場合には、あらかじめ設定されているリピート条件にしたがって書き込み位置の変更が行なわれる。これらの設定操作は、設定のやり直しに用いる「戻る」ボタン１２８や設定状態がよい場合に押下するための「設定」ボタン１２９により行なう。この書き込み位置変更にかかわる設定が行なわれると、図５に示す書き込み位置変更条件設定画面１４０が表示される。
【００４０】
すなわち、書き込み位置変更条件の設定において、変更する枚数と変更する位置間隔および変更位置範囲にしたがってリピート印刷中は書き込み位置の変更が繰り返し実行される。たとえば、図５に示すように、変更する枚数が５枚で、変更する位置間隔が１ｍｍ、変更位置範囲が−１ｍｍ〜１ｍｍの場合は、最初の１〜５枚までは書き込み補正値０ｍｍで、６枚〜１０枚までは書き込み補正値＋１ｍｍ、１１枚〜１５枚までは−１ｍｍの補正が行なわれる。リピート数４枚以下のばあいは補正が行なわれない。また、変更枚数１の場合は１枚ごとに書き込み位置が補正される。
【００４１】
同様に、「同一サイズリピート時」ボタン１２６がユーザによって押下された場合は、書き込み位置変更条件と一致したときに前回の書き込み位置補正値を参照して書き込み位置が補正される。通常は、電源のＯＦＦ／ＯＮやサイズが変更された場合に前回の書き込み位置補正値がクリアされるが、前回の書き込み位置補正値および通算枚数を不揮発ＲＡＭ（不図示）に記憶しておき、通算枚数で補正してもよい。
【００４２】
コピー時は原稿セット時における主走査方向のばらつきがあることを考慮し、プリンタ動作時のみ書き込み開始位置の変更を有効とすることにより、横レジストレーション（副走査方向の位置精度）のばらつきをプリンタ動作時にのみ限定することが可能になるため、コピー時の横レジストレーション精度（主走査方向における記録紙端と画像との位置精度）を現状レベルに維持させることができる。
【００４３】
図６は、上述した書き込み位置変更の動作手順を示すフローチャートである。この動作は、操作部１２０からの指示にしたがって制御部１３０が行なうものである。図６において、まず、書き込み位置を基準位置に初期化し（ステップＳ１１）、プリンタ時のみの設定であるか否かを判断する（ステップＳ１２）。すなわち、「プリンタ時のみ」ボタン１２４が押下されたか否かを判断する。ここで、プリンタ時のみの設定ではないと判断した場合、さらにあらかじめ設定された書き込み位置変更条件と一致しているか否かを判断する（ステップＳ１３）。一方、ステップＳ１２においてプリンタ時のみの設定であると判断した場合、さらにプリンタ出力であるか否かを判断する（ステップＳ１４）。ここで、プリンタ出力であると判断した場合にはステップＳ１３に進む。このステップＳ１３において書き込み位置変更条件と一致していると判断した場合、書き込み位置を実行する（ステップＳ１５）。
【００４４】
すなわち、前述したように制御部１３０の指示により、同期検知基準電圧発生部３９を制御し、同期検知部３８での同期検知基準値を所定値に変更することにより、書き込み位置を変更する。
【００４５】
ユーザにとっては出力される画像は記録紙上において複数枚すべてが同一の印刷結果であることが望ましいが、記録紙が汚れて出力されるより多少の位置ずれであるほうがよい。このように、書き込み位置を選択的にずらして補正することにより、定着装置１５０の副走査方向の同じ位置にトナーが入力されるのを防止することができる。この結果、定着クリーニングブレード１５３による定着ローラ１５１表面をクリーニングする際における入力負荷が軽減され、トナー汚れのない安定した画像出力が実現する。
【００４６】
なお、この実施の形態では、主走査方向の書き込み位置のみの変更について説明したが、給紙トレイを移動可能として、その移動位置に対応させた書き込み位置に変更することによって、記録紙ごとの横レジストレーションのばらつきが抑えられ、かつ部分的な感光体表面のキズなどによる記録紙の汚れの発生を回避することができる。また、この実施の形態のように書き込み位置を変更することにより、定着ローラ１５１に対するトナーの入力集中を回避させる他に、感光体１２の転写後に残留するトナーをクリーニングするクリーニング装置のブレード部分などへの負担も軽減されるため、クリーニング性に対しても有効である。
【００４７】
【発明の効果】
以上説明したように、本発明にかかる画像形成装置（請求項１）によれば、ユーザが、副走査方向の同一位置に画像が連続して形成される場合に定着装置へのトナーの入力集中が懸念されることを考慮し、モード選択手段を介して主走査方向の書き込み開始位置を所定の条件で変更するモードを選択し、このモード選択に応じて書き込み基準位置を変更する電圧を生成し、後段の同期信号出力手段に送ることにより、書き込み開始位置を所定の条件で変更され、この結果、意図的に主走査方向の書き込み開始位置が変更でき、副走査方向に連続したトナーの定着装置に入力されるのを回避することが可能になるため、定着装置におけるクリーニング負荷が軽減され、定着ローラなどに汚れが残らない。したがって、定着ローラ部分に蓄積されるトナー過多に起因する記録紙への汚れがなくなり、画像品質が向上する。
【００４８】
また、本発明にかかる画像形成装置（請求項２）によれば、請求項１において、同一画像情報でかつ複数回連続して画像形成を行なう場合、主走査方向の光ビームの書き込み開始位置を、１枚ごとまたは所定枚数ごとに変更するモードを選択することでユーザが意図的に主走査書き込み開始位置の変更を指示することにより、副走査方向の同一位置に連続したトナーが定着装置に入力されるのを回避することが可能になるため、定着オフセットやクリーニング不良などの発生に起因する記録紙上の汚れ発生を防止することができる。
【００４９】
また、本発明にかかる画像形成装置（請求項３）によれば、請求項１において、同一画像サイズでかつ複数回連続して画像形成を行なう場合、主走査方向の光ビームの書き込み開始位置を、１枚ごとまたは所定枚数ごとに変更するモードを選択することでユーザが意図的に主走査書き込み開始位置の変更を指示することにより、副走査方向の同一位置に連続したトナーが定着装置に入力されるのを回避することが可能になるため、定着オフセットやクリーニング不良などに起因する記録紙上の汚れ発生を防止することができる。
【００５０】
また、本発明にかかる画像形成装置（請求項４）によれば、請求項１、２または３において、コピー時は原稿セット時における主走査方向のばらつきがあるので、プリンタ動作時のみ書き込み開始位置の変更を有効とすることにより、横レジストレーション（副走査方向の位置精度）のばらつきをプリンタ動作時にのみに限定することが可能になるため、コピー時の横レジストレーション精度を現状維持させることができる。
【図面の簡単な説明】
【図１】本発明の実施の形態にかかる画像形成装置の構成を示すブロック図である。
【図２】図１における画像形成装置の書き込み系の構成および定着の様子を示す説明図である。
【図３】本発明の実施の形態にかかる画像形成装置の書き込み系の同期検知回路を示す説明図である。
【図４】本発明の実施の形態にかかる画像形成装置の操作部における書き込み位置設定画面を示す説明図である。
【図５】本発明の実施の形態にかかる画像形成装置の操作部における書き込み位置変更条件の設定画面を示す説明図である。
【図６】本発明の実施の形態にかかる画像形成装置の書き込み位置変更の動作手順を示すフローチャートである。
【符号の説明】
１０  ＬＤ
１２  感光体
３８  同期検知部
３９  同期検知基準電圧発生部
１００  画像形成装置
１１０  プロッタ部
１２０  操作部
１２１  タッチパネル
１２２  書き込み位置変更設定画面
１３０  制御部
１４０  書き込み位置変更条件設定画面
１５０  定着装置
【図１】
2004219887.tif 000003
【図２】
2004219887.tif 000004
【図３】
2004219887.tif 000005
【図４】
2004219887.tif 000006
【図５】
2004219887.tif 000007
【図６】
2004219887.tif 000008